(57)【特許請求の範囲】
【請求項１】
光源の光出力を記録信号及び該記録信号に同期した一定周波数のクロック信号に応じてマルチパルス化し、このマルチパルス化された光出力の光ビームを情報記録媒体に照射することにより、前記記録信号に対応したマークを記録する光情報記録方法において、前記クロック信号は、前記マルチパルス化された光出力の所定の長さのマークを記録する第１の光出力と、それに続いてマークの長さに応じて周期的に照射される第２の光出力に各々対応する第１のクロック信号及び第２のクロック信号からなり、該第１のクロック信号及び第２のクロック信号のデューティーをそれぞれ変化させることによって、前記第１及び第２の光出力のパルス幅を変化させることを特徴とする光情報記録方法。
【請求項２】
請求項１に記載の光情報記録方法において、前記クロック信号のデューティーを前記記録媒体の特性に応じて変化させることにより、前記マルチパルス化された光出力のパルス幅を変化させて記録マークの形成動作を制御することを特徴とする光情報記録方法。
【請求項３】
請求項１に記載の光情報記録方法において、前記クロック信号のデューティーを前記記録媒体の線速に応じて変化させることにより、前記マルチパルス化された光出力のパルス幅を変化させて記録パワーを略一定に制御することを特徴とする光情報記録方法。
【請求項４】
請求項１に記載の光情報記録方法において、前記クロック信号のデューティーを前記記録媒体の周辺の温度に応じて変化させることを特徴とする光情報記録方法。
【請求項５】
請求項２に記載の光情報記録方法において、前記記録媒体の特性は、該記録媒体の熱構造に基づいた熱特性であることを特徴とする光情報記録方法。
【請求項６】
光源の光出力を記録信号及び該記録信号に同期したクロック信号に応じてマルチパルス化する手段を有し、該マルチパルス化された光出力の光ビームを情報記録媒体に照射することにより、前記記録信号に対応したマークを記録する光情報記録装置において、前記クロック信号は、前記マルチパルス化された光出力の所定の長さのマークを記録する第１の光出力と、それに続いてマークの長さに応じて周期的に照射される第２の光出力に各々対応する第１のクロック信号及び第２のクロック信号からなり、該第１及び第２のクロック信号のデューティーをそれぞれ変化させることによって、前記第１及び第２の光出力のパルス幅を変化させる制御手段を有することを特徴とする光情報記録装置。
【請求項７】
請求項６に記載の光情報記録装置において、前記制御手段は前記クロック信号のデューティーを前記記録媒体の特性に応じて変化させることにより、前記マルチパルス化された光出力のパルス幅を変化させて記録マークの形成動作を制御することを特徴とする光情報記録装置。
【請求項８】
請求項６に記載の光情報記録装置において、前記制御手段は前記クロック信号のデューティーを前記記録媒体の線速に応じて変化させることにより、前記マルチパルス化された光出力のパルス幅を変化させて記録パワーを略一定に制御することを特徴とする光情報記録装置。
【請求項９】
請求項６に記載の光情報記録装置において、前記制御手段は、前記記録媒体に所定の長さのマークとスペースを記録する手段と、記録されたマークとスペースを再生してマークとスペースの長さの差に応じた信号を出力する手段とを含み、この信号に基づいて前記マークとスペースの長さの差がなくなるように、前記クロック信号のデューティーを変化させることを特徴とする光情報記録装置。
【請求項１０】
請求項８に記載の光情報記録装置において、前記制御手段は、前記記録媒体の線速の異なる複数の記録半径位置で、最適記録パワーが得られるような前記クロック信号のデューティーを決定する手段と、該クロック信号のデューティーの値を記憶する記憶手段とを含み、該記憶手段に記憶されたデューティー値に基づいて前記記録媒体の記録位置の線速に応じて前記クロック信号のデューティーを変化させることを特徴とする光情報記録装置。
【請求項１１】
請求項６に記載の光情報記録装置において、前記制御手段は、前記記録媒体の近傍に設けられた温度センサの温度に応じてクロック信号のデューティーを変化させることを特徴とする光情報記録装置。
【請求項１２】
請求項７に記載の光情報記録装置において、前記記録媒体の特性は、該記録媒体の熱構造に基づいた熱特性であることを特徴とする光情報記録装置。
【発明の詳細な説明】
【０００１】
【発明の属する技術分野】
本発明は、情報記録媒体に多値のマルチパルス記録波形を用いて情報を記録する光情報記録方法及び装置に関するものである。
【０００２】
【従来の技術】
図９は従来の光磁気記録再生装置の一例を示した構成図である。図９においては、光変調オーバーライト方式（特開昭６２−１７５９４８号公報参照）で情報の書き換えが可能であり、記録方式としてはピットエッジ記録方式で高密度記録が可能な装置の例を示している。なお、データの変調方式としては、（１−７）変調方式が採用されているものとする。図９において、１は情報記録媒体であるところの光磁気ディスクであり、ガラスあるいはプラスチックなどの透明基板２上に記録層３が形成され、更に記録層３の表面に保護層４が形成されている。光磁気ディスク１は図示しないマグネットチャッキングなどでスピンドルモータの回転軸に支持され、スピンドルモータの駆動によって所定速度で回転する。
【０００３】
光磁気ディスク１の下面には、光ビームを照射してディスク上に情報を記録、再生するための光ヘッドが配設されている。光ヘッドの内部には、光源である半導体レーザ６を始めとして種々の光学素子が設けられている。光ヘッドについて説明すると、まず、半導体レーザ６から射出された光ビームはコリメータレンズ８で平行化された後、偏光ビームスプリッタ９を透過して対物レンズ７へ入射する。そして、この入射した光ビームは対物レンズ７で絞られ、微小光スポットとしてディスク１上に集光される。
【０００４】
このようにして集光された光の一部はディスク面で反射され、再び対物レンズ７を通って偏光ビームスプリッタ９に入射する。この入射光は偏光ビームスプリッタ９の偏光面で１／２λ波長板１０側に反射され、半導体レーザ６からの入射光と分離される。分離された反射光は、１／２λ波長板１０を経由して偏光ビームスプリッタ１１に入射し、ここで記録層３の磁化方向に応じて２つの光ビームに分割される。この分割された光ビームはそれぞれセンサレンズ１２を介して光センサ１３で検出され、更に各々の光センサ１３の受光信号を差動アンプ１４で差動検出することで、再生信号が光磁気信号として得られる。
【０００５】
また、光ヘッドの内部には、制御光学系が設けられていて、ディスク１からの反射光が検出され、誤差信号検出回路においてはその検出信号をもとにフォーカス誤差信号とトラッキング誤差信号が生成される。サーボ制御回路においては、これらのサーボ誤差信号をもとにアクチュエータ５を駆動し、対物レンズ７をフォーカス方向及びトラッキング方向に変位させることで、光ヘッドからの光ビームがディスク１の記録層３上に焦点を結ぶようにフォーカス制御を行い、また光ビームがディスク１の情報トラックに追従して走査するようにトラッキング制御を行う。なお、図９ではこれらの制御光学系、誤差信号検出回路、サーボ制御回路については省略している。
【０００６】
光磁気ディスク１の上面には、光ヘッドと対向して磁気ヘッド１９が配設されている。磁気ヘッド１９は磁気ヘッドドライバー２０から供給される駆動電流によって駆動され、情報の記録、消去に対応して極性の異なる磁界をディスク１に印加する。この場合、磁気ヘッド１９はディスク１の半径方向全域に渡って等しい強度の磁界を印加するようになっており、記録、消去に応じて極性の異なる磁界を光ビーム照射部位に印加することで、情報の記録や消去を行う。
【０００７】
コントローラ１７は装置内の各部を制御する主制御回路であり、スピンドルモータ（図示せず）の回転制御、磁気ヘッドドライバー２０の制御、半導体レーザ６の駆動回路であるＬＤドライバー１８などの制御を行う。また、コントローラ１７では外部の上位制御装置から転送された記録データを記録に適した信号に加工する変調処理などを行う。図９の装置では、前述のように（１−７）変調方式を用いているので、コントローラ１７では記録データをそれに従って（１−７）符号化し、得られた記録信号はマルチパルス化回路１５に供給される。ここで、図９においては、先に説明したように記録ピットのエッジに情報を持たせるピットエッジ記録方式が採用されているのであるが、このようなピットエッジ記録においては、特に記録ピットのエッジの精度が要求されるため、ここでは多値のマルチパルス記録波形を用いて記録を行っている。
【０００８】
図９においては、詳しく後述するように４値の記録パワーで記録するという４値マルチパルス記録波形を用いており、マルチパルス化回路１５ではコントローラ１７からの記録信号に応じて４値マルチパルス記録信号を生成し、ＬＤドライバー１８へ供給する。ＬＤドライバー１８は４値に対応した４つの電流源をもっていて、４値マルチパルス記録信号に応じて半導体レーザ６に駆動電流を供給することにより、半導体レーザ６の記録パワーを制御してディスク１上に情報の記録を行う。
【０００９】
図１０はマルチパルス化回路１５の具体的な構成を示した回路図である。図１０において、（１−７）データはコントローラ１７で（１−７）変調を行った後の記録信号、チャネルクロックは図示しないクロック発生器で生成された一定周波数のクロック信号である。記録信号はチャネルクロックに同期している。チャネルクロックの１周期はＴ（Ｔ：１チャネル幅）である。マルチパルス化回路１５は、フリップフロップ回路１００，１０１、アンド回路１０２、インバータ回路１０３、フリップフロップ回路１０４、１０５、オア回路１０６、アンド回路１０７，１０８を組み合わせた論理回路からなっており、（１−７）データ（記録信号）を入力すると、それに応じて多値の記録パワーＰＨ１，ＰＨ２，ＰＬに対応する変調信号が出力される。即ち、オア回路１０６からＰＨ１に対応する変調信号、アンド回路１０８からＰＨ２に対応する変調信号、フリップフロップ１０１からＰＬに対応する変調信号が出力される。これらのＰＨ１，ＰＨ２，ＰＬについては詳しく後述する。
【００１０】
図１１は図１０のマルチパルス化回路１５の各部の信号を示したタイムチャートである。なお、図１１（ａ）〜（ｊ）の信号は、図１０に（ａ）〜（ｊ）で示す信号と対応している。図１１（ａ）はチャネルクロック、図１１（ｂ）はコントローラ１７から出力される記録信号である。記録信号はフリップフロップ回路１００，１０１に入力され、チャネルクロックはフリップフロップ回路１００，１０１，１０５及びインバータ回路１０３を介してフリップフロップ回路１０４に入力されている。また、図１１（ｃ）はフリップフロップ回路１００の出力信号、図１１（ｄ）はフリップフロップ回路１０１の出力信号、図１１（ｅ）はフリップフロップ回路１０４の出力信号、図１１（ｆ）はフリップフロップ回路１０５の出力信号を示している。
【００１１】
フリップフロップ１０４と１０５の出力信号はオア回路１０６で論理和がとられ、その出力信号が図１１（ｈ）に示すように記録パワーＰＨ１に対応する変調信号として出力される。また、フリップフロップ回路１００の出力信号、フリップフロップ回路１０１の出力信号（反転出力）、及びフリップフロップ回路１０５の出力信号（反転出力）はアンド回路１０７で論理積がとられ、図１１（ｇ）のような信号となる。この信号はアンド回路１０８でインバータ回路１０３の出力信号と論理積がとられ、その出力信号が図１１（ｉ）のように記録パワーＰＨ２に対応する変調信号として出力される。また、フリップフロップ回路１０１の出力信号（反転出力）が図１１（ｊ）のように記録パワーＰＬに対応する変調信号として出力される。こうしてマルチパルス化回路１５ではＰＨ１，ＰＨ２，ＰＬにそれぞれ対応する変調信号が生成され、得られた変調信号は図９のレーザパワースイッチングラインを通してＬＤドライバー１８に供給される。
【００１２】
ＬＤドライバー１８においては、マルチパルス化回路１５からの変調信号に応じて半導体レーザ６に駆動電流を供給し、これによって図１１（ｋ）のような４値マルチパルス記録波形に半導体レーザ６の光出力を制御することで情報の記録を行う。図１１（ｋ）において、ＰＬはディスク１の記録層３に低温レベル状態（特開昭６２−１７５９４８号公報に開示された低温プロセスを生じさせる状態）を形成する記録パワーレベル、ＰＨ１及びＰＨ２は高温レベル状態（同公報に開示された高温プロセスを生じさせる状態）を形成する記録パワーレベル、Ｐｂは記録パワーのボトム値（再生パワー）で一定の値である。また、ＬＤドライバー１８においては、前述のようにマルチパルス化回路１５からＰＨ１，ＰＨ２，ＰＬに対応した変調信号が並列に供給されるのであるが、これらの変調信号に優先順位が付いていて、ＬＤドライバー１８ではその優位順位に従って変調信号が選択され、それに応じて半導体レーザ６に駆動電流が供給される。
【００１３】
具体的に説明すると、図１１（ｈ），（ｉ），（ｊ）は前述のようにＰＨ１，ＰＨ２，ＰＬに対応した変調信号であるが、これらの変調信号がいずれも１の場合は、最も優先順位の高い変調信号が選択される。優先順位としてはＰＨ１，ＰＨ２，ＰＬ，Ｐｂの順になっていて、図１１（ｈ）〜（ｊ）のように、まずＰＨ１が１、ＰＨ２が０、ＰＬが１である場合は、ＬＤドライバー１８ではＰＨ１とＰＬの変調信号が１であるので、そのうち優先順位の高いＰＨ１の変調信号が選択される。次いで、図１１（ｈ）〜（ｊ）のようにＰＨ１の変調信号が０、ＰＨ２の変調信号も０、ＰＬの変調信号のみ１となると、この場合は１である変調信号はＰＬのみであるので、ＰＬの変調信号が選択される。
【００１４】
続いて、ＰＨ１の変調信号が０、ＰＨ２の変調信号が１、ＰＬの変調信号が１となると、この場合は１である変調信号のＰＨ２とＰＬのうち優先順位の高いＰＨ２の変調信号が選択される。このようにしてＬＤドライバー１８では変調信号を選択していく。また、ＬＤドライバー１８の内部には、ＰＬ，ＰＨ１，ＰＨ２及びＰｂに対応した電流源が設けられており、選択された変調信号に応じた電流源から半導体レーザ６に駆動電流を供給することで、図１１（ｋ）のように半導体レーザ６の記録パワーが４値のマルチパルス記録波形に制御される。
【００１５】
ここで、図１１（ｋ）において、ＰＨ１は１．５Ｔ、ＰＨ２は０．５Ｔ間隔でオン、オフするパルス点灯であり、ＰＨ２のパルス点灯の１周期はピットの１Ｔの長さに対応している。図１１の例では、先頭のマルチパルス記録波形は３Ｔピットを記録する場合の記録波形を示しており、１．５ＴのＰＨ１の後に０．５ＴのＰＨ２を１周期点灯させることで、図１１（ｌ）のようにディスク１の情報トラック上に３Ｔのピットが記録される。また、図１１の例では、ＰＨ１の前に０．５ＴのＰｂ，ＰＨ２の後に１．０ＴのＰｂが設けられた形態となっているが、これらの前後のＰｂはクーリングギャップと呼ばれている。次に、１．５ＴのＰＨ１と０．５ＴのＰＨ２が２周期の記録波形は４Ｔピット、その次の１．５ＴのＰＨ１の記録波形は２Ｔピットに対応しており、このような４値マルチパルス記録波形の光ビームを照射することで、図１１（ｌ）のように４Ｔピット、２Ｔピットを記録することができる。
【００１６】
また、図１１においては、２Ｔ〜４Ｔの記録波形しか示していないが、５Ｔピットを記録する場合は１．５ＴのＰＨ１の後に０．５Ｔ間隔のＰＨ２が３周期、以下６ＴピットではＰＨ１は同じでＰＨ２が４周期、７ＴピットではＰＨ２が５周期、８ＴピットではＰＨ２が６周期となる。（１−７）変調では、最短ピットは２Ｔ、最長ピットは８Ｔであるので、以上のようにピットの長さに応じたマルチパルス記録波形を用いることで、最短ピットから最長ピットまで記録することができる。このようにＰＨ１を点灯し、その後にＰＨ２をパルス点灯することによって、記録媒体の温度を所定温度に維持でき、温度の上がりすぎを防止することができる。また、ピットエッジ記録は前述のようにピットのエッジの位置に情報を持たせる記録方式であるが、以上のような４値マルチパルス記録波形による記録方法においては、ピットエッジの変動を抑制できるので、特にピットエッジ記録に好適に使用することができる。
【００１７】
次に、光磁気ディスク１に記録された情報を再生する場合は、ＬＤドライバー１８ではコントローラ１７の制御に基づいて半導体レーザ６の記録パワーを一定の再生パワー（Ｐｒ）に制御し、この再生パワーの光ビームを目的の情報トラックに走査する。そして、このとき前述のように差動アンプ１４から光磁気信号が得られ、信号処理回路（図示せず）において光磁気信号を２値化し、更にこの２値化信号を用いて所定の信号処理を行うことで、再生データが得られ、記録情報を再生することができる。
【００１８】
【発明が解決しようとする課題】
ところで、上記従来の光磁気記録再生装置では、記録媒体が異なると、その熱構造も異なるので、記録媒体によって記録特性に差を生じ、ピットエッジ位置の精度も変わってしまう。そのため、これを防ぐには、記録媒体に応じてＰＨ１やＰＨ２などの記録パワーレベルを調整する必要がある。しかし、ピットエッジ記録においては特にピットエッジ位置の精度が要求されるので、ＰＨ１やＰＨ２のパワーレベルはより精密な制御を必要とし、ＬＤドライバーの半導体レーザへの駆動電流の制御にも高い精度が要求される。そのため、このようにＰＨ１，ＰＨ２の記録パワーレベルを制御する場合は、制御回路の制御負荷が大きくなり、制御回路の規模も大きくなるという問題があった。
【００１９】
そこで、本発明は、上記従来の問題点に鑑み、制御負荷を軽減し、簡単な構成で光源の光出力を最適調整することが可能な光情報記録方法及び装置を提供することを目的としたものである。
【００２０】
【課題を解決するための手段】
本発明の目的は、光源の光出力を記録信号及び該記録信号に同期した一定周波数のクロック信号に応じてマルチパルス化し、このマルチパルス化された光出力の光ビームを情報記録媒体に照射することにより、前記記録信号に対応したマークを記録する光情報記録方法において、前記クロック信号は、前記マルチパルス化された光出力の所定の長さのマークを記録する第１の光出力と、それに続いてマークの長さに応じて周期的に照射される第２の光出力に各々対応する第１のクロック信号及び第２のクロック信号からなり、該第１のクロック信号及び第２のクロック信号のデューティーをそれぞれ変化させることによって、前記第１及び第２の光出力のパルス幅を変化させることを特徴とする光情報記録方法によって達成される。
【００２１】
また、本発明の目的は、光源の光出力を記録信号及び該記録信号に同期したクロック信号に応じてマルチパルス化する手段を有し、該マルチパルス化された光出力の光ビームを情報記録媒体に照射することにより、前記記録信号に対応したマークを記録する光情報記録装置において、前記クロック信号は、前記マルチパルス化された光出力の所定の長さのマークを記録する第１の光出力と、それに続いてマークの長さに応じて周期的に照射される第２の光出力に各々対応する第１のクロック信号及び第２のクロック信号からなり、該第１及び第２のクロック信号のデューティーをそれぞれ変化させることによって、前記第１及び第２の光出力のパルス幅を変化させる制御手段を有することを特徴とする光情報記録装置によって達成される。
【００２２】
【発明の実施の形態】
以下、本発明の実施例について図面を参照して詳細に説明する。図１は本発明の一実施例を示した構成図である。本実施例では、記録媒体である光磁気ディスク１は線速一定で回転するものとする。また、図１では図９の従来装置と同一部分は同一符号を付してその説明を省略する。即ち、光磁気ディスク１、磁気ヘッド１９、磁気ヘッドドライバー２０は図９のものと同じである。また、ディスク１に情報を記録、再生する光ヘッドも同じであり、その内部に設けられた半導体レーザ６、コリメータレンズ８、偏光ビームスプリッタ９、対物レンズ７、アクチュエータ５、１／２λ波長板１０、偏光ビームスプリッタ１１、集光レンズ１２、光センサ１３も図９のものと同じである。
【００２３】
半導体レーザ６から射出された光ビームは対物レンズ７で絞られ、微小光スポットとして光磁気ディスク１上に集光される。この場合、図１においても、ディスク１からの反射光をもとにフォーカス誤差信号及びトラッキング誤差信号を検出する誤差信号検出回路、これらのサーボ誤差信号をもとにフォーカス制御とトラッキング制御を行うサーボ制御回路が設けられている。そして、サーボ制御回路の制御動作により光ヘッドから照射された光ビームは、記録層３に合焦状態を保持しつつ回転しているディスク１の情報トラックに追従して走査するように制御される。
【００２４】
また、本実施例では、差動アンプ１４から出力される光磁気信号のエンベロープを検出するエンベロープ検波回路２１、光磁気信号を２値化する２値化回路２２、２値化信号のマークとスペースの長さに応じた信号を出力するフェーズコンパレータ２３が設けられている。これらの回路は、詳しく後述するようにマルチパルス記録波形のパルス幅を変化させて半導体レーザ６の記録パワーを調整するのに用いられる。エンベロープ検波回路２１は光磁気信号のピーク値を検波するピーク検波回路とボトム値を検波するボトム検波回路、及びこの２つの検波回路で得られたピーク値とボトム値をもとにその中間値を出力する回路からなっている。エンベロープ検波回路２１で得られた光磁気信号のピーク値とボトム値の中間値は２値化回路２２にスライスレベルとして出力され、２値化回路２２ではこの中間値を用いて光磁気信号が２値化される。フェーズコンパレータ２３においては、２値化信号のマークとスペースのパルス幅を検出し、かつそのパルス幅の差に応じた信号が出力される。このパルス幅の差に応じた信号は電圧などの電気信号でマルチパルス化回路１５に送られる。
【００２５】
マルチパルス化回路１５は、前述のように（１−７）変調で変調された記録信号に応じてマルチパルス信号を生成する回路である。また、本実施例では、前述のようにマルチパルス回路１５にフェーズコンパレータ２３からマークとスペースのパルス幅の差に応じた信号がフィードバックされ、マルチパルス化回路１５ではこの信号に応じてマルチパルス記録波形のパルス幅を可変するように構成されている。マルチパルス化回路１５の構成及び動作については詳しく後述する。ＬＤドライバー１８は、図９のものと同じで、マルチパルス化回路１５から送られたマルチパルス信号に応じて半導体レーザ６を駆動するためのレーザ駆動回路である。また、１６はディスク１に近接して設けられた温度センサである。温度センサ１６については詳しく後述する。
【００２６】
コントローラ１７は本実施例の光磁気記録装置の主制御部であり、スピンドルモータ（図示せず）を制御して光磁気ディスク１の回転を制御したり、磁気ヘッドドライバー２０を記録、消去、再生に対応して制御することにより、磁気ヘッド１９の磁界を動作モードに応じて制御する。また、コントローラ１７ではＬＤドライバー１８を制御して半導体レーザ６の記録パワーを記録と再生時で設定する制御や、光ヘッドをディスク１の目的の情報トラックにシークさせるシーク制御を行う。更に、コントローラ１７では、記録データを（１−７）変調して記録信号生成や、チャネルクロックを生成する。このようにコントローラ１７ではデータ処理や装置内の各部を制御することで、ディスク１への情報記録や記録情報の再生を制御する。また、コントローラ１７では詳しく後述するように、ディスク１が装置にセットされた際などに、ディスク１の特性に応じてマルチパルス記録波形のパルス幅を最適調整する制御を行う。
【００２７】
図２は本実施例で用いるマルチパルス化回路１５の具体例を示した回路図である。図２において、まず、チャネルクロックＣＫ１とＣＫ２はコントローラ１７から送られたチャネルクロック、及びフェーズコンパレータ２３の出力信号から生成されたクロック信号である。図２のマルチパルス化回路１５内には、コントローラ１７からのチャネルクロックをもとにそれと同じ周波数の鋸歯状信号を発生する鋸歯状信号発生回路（図示せず）が設けられていて、この鋸歯状信号を２つのコンパレータを用いてそれぞれレベルの異なるスライスレベルで２値化することにより、周波数が同じでデューティーの異なる２つのチャネルクロックＣＫ１，ＣＫ２が生成される。
【００２８】
また、２つのスライスレベルは、各々フェーズコンパレータ２３の出力信号に応じて変化し、その変化に応じて２つのチャネルクロックＣＫ１，ＣＫ２のデューティーが変化するようになっている。なお、チャネルクロックＣＫ１，ＣＫ２のデューティーを変化させる方法としては、これ以外にも、例えばプログラマブルパルスジェネレータを用いてこれに基準クロックをトリガーとして入力することにより、フェーズコンパレータ２３の出力に応じて予めプログラムされたデューティーのクロックを得るようにすることも可能である。
【００２９】
図２のマルチパルス化回路１５について更に説明する。図２においては、図１０のマルチパルス化回路と同一部分は同一符号を付しており、フリップフロップ回路１００，１０１，１０４，１０５、アンド回路１０２，１０７，１０８、インバータ回路１０３、オア回路１０６は図１０と同じである。但し、図１０ではインバータ回路１０３とアンド回路１０７の出力をアンド回路１０８で論理積をとることでＰＨ２に対応した変調信号を得ているが、本実施例では、新たにインバータ回路１０９が設けられていて、アンド回路１０８でこのインバータ回路１０９の出力とアンド回路１０７の出力の論理積をとることでＰＨ２の変調信号を得ている。
【００３０】
また、先に説明したチャネルクロックＣＫ１はフリップフロップ回路１００，１０１，１０５、及びインバータ回路１０３を介してフリップフロップ回路１０４に入力され、チャネルクロックＣＫ２はインバータ回路１０９に入力されている。そして、（１−７）変調された記録信号がフリップフロップ回路１０１，１０２に入力され、記録信号に応じたマルチパルス変調信号が生成される。即ち、オア回路１０６からＰＨ１に対応した変調信号、アンド回路１０８からＰＨ２に対応した変調信号、フリップフロップ回路１０１の反転出力からＰＬに対応した変調信号が出力される。
【００３１】
図３はマルチパルス化回路１５の各部の信号を示したタイムチャートである。図３においてはＰＨ１とＰＨ２のパルス幅を媒体特性に応じて調整した後の各部の信号を示している。また、図３では記録媒体の特性として熱拡散が遅く、熱蓄積が大きい特性の媒体を用いた場合の信号を示している。本実施例では、マルチパルス記録波形のＰＨ１とＰＨ２のパルス幅を調整して記録マークを最適に形成するように制御するのであるが、このマルチパルス記録波形のパルス幅の調整方法については詳しく後述する。図３（ａ）は前述のように鋸歯状信号発生回路から出力された鋸歯状信号である。
【００３２】
この鋸歯状信号は２つのコンパレータでそれぞれ図３（ａ）に示すようなレベルの異なるスライスレベルと比較され、その結果、図３（ｂ）のようにチャネルクロックＣＫ１、図３（ｃ）のようにチャネルクロックＣＫ２が生成される。チャネルクロックＣＫ１，ＣＫ２のデューティーは、前述のようにフェーズコンパレータ２３の出力信号に応じて変化し、それによってマルチパルス記録波形のＰＨ１，ＰＨ２のパルス幅が変化するようになっている。図３（ｄ）は（１−７）変調された記録信号である。
【００３３】
また、図３（ｅ）はマルチパルス化回路２内のフリップフロップ回路１００の出力信号、図３（ｆ）はフリップフロップ回路１０１の出力信号（正転出力）、図３（ｇ）はフリップフロップ回路１０４の出力信号、図３（ｈ）はフリップフロップ回路１０５の出力信号（正転出力）を示している。図３（ｇ）のフリップフロップ回路１０４の出力信号と図３（ｈ）のフリップフロップ回路１０５の出力信号はオア回路１０６で論理和がとられ、その出力が図３（ｊ）のようにＰＨ１に対応した変調信号として出力される。また、図３（ｉ）のアンド回路１０７の出力信号と図３（ｃ）のチャネルクロックＣＫ２をインバータ回路１０９で反転した信号をアンド回路１０８で論理積をとることで、図３（ｌ）のようにＰＨ２に対応した変調信号が出力される。更に、フリップフロップ回路１０１の出力信号（反転出力）は図３（ｎ）のようにそのままＰＬに対応した変調信号として出力される。
【００３４】
このようにしてマルチパルス化回路１５で生成されたマルチパルス変調信号はＬＤドライバー１８に並列的に供給される。ＬＤドライバー１８は前述のようにＰＬ，ＰＨ１，ＰＨ２，Ｐｂに対応した４つの電流源を持っており、これらの変調信号が１の場合は、先の説明のように予め決められた優先順位に従って変調信号が選択され、それに対応する電流源から半導体レーザ６に駆動電流が供給される。その結果、半導体レーザ６の記録パワーは図３（ｐ）のように記録信号に応じた４値マルチパルス記録波形に制御される。そして、このような記録波形の光ビームをディスク１に照射することによって図３（ｑ）のように記録信号に対応した記録ピットが記録される。
【００３５】
ここで、図３においては、前述のように記録媒体の特性として熱拡散が遅く、熱蓄積が大きい媒体を用いた場合の信号であると説明したが、このような特性の媒体では、チャネルクロックＣＫ１のデューティーは小さくなり、ＰＨ１のパルス幅は広くなっている。つまり、この場合は、記録媒体が熱拡散が遅く、熱蓄積が大きいので、ＰＨ１のパルス幅を広げることにより、ＰＨ１の照射時間を長くして記録パワーを実質的に大きくすることで、ピットエッジ先端における媒体の温度上昇を早め、ピット先端部分を適正な形状に記録できるように記録マークの形成が制御される。図３（ｋ）に従来のＰＨ１に対応する変調信号、即ちチャネルクロックＣＫ２のデューティーを５０％にしたときの変調信号を示している。これと図３（ｊ）の本実施例のＰＨ１に対応する変調信号との比較で明らかなように、図３（ｊ）のＰＨ１のパルス幅の方が広がっており、そのパルス幅の差がＰＨ１のパルス幅の増加分に相当している。
【００３６】
一方、チャネルクロックＣＫ２のデューティーは大きくなり、それに伴なってＰＨ２のパルス幅は狭くなっている。つまり、この場合は、記録媒体の熱拡散が遅く、熱蓄積が大きいので、ＰＨ２のパルス幅を狭くし、ＰＨ２の照射時間を短くしてその記録パワーを実質的に小さくすることにより、ピットの後端部における媒体温度の上昇を抑制し、ピット後端部においても適正な形状に記録できるように記録マークの形成が制御される。図３（ｍ）は従来のＰＨ２に対応する変調信号、即ちチャネルクロックＣＫ１のデューティーを５０％としたときの変調信号であるが、これと図３（ｌ）との比較で明らかなように図３（ｌ）のＰＨ１の変調信号の方が狭くなっており、その差がＰＨ１のパルス幅の減少分に相当している。なお、図３（ｏ）は従来のＰＬに対応する変調信号であるが、これは本実施例の図３（ｎ）と同じである。このようにして図３（ｐ）のように記録媒体の特性に応じてマルチパルス記録波形のＰＨ１、ＰＨ２のパルス幅を制御することにより、図３（ｑ）に示すように各々の長さの記録マークを適正な形状に記録することができる。
【００３７】
次に、先の記録媒体とは反対に熱拡散が速く、熱蓄積が小さい特性の記録媒体においては、ＰＨ１，ＰＨ２のパルス幅は逆方向に制御される。図４はこのときの各部の信号を示したタイムチャートである。図４（ａ）〜（ｑ）は図３（ａ）〜（ｑ）にそれぞれ対応している。まず、チャネルクロックＣＫ１は図４（ｂ）のようにデューティーは大きくなるように変化する。これに伴なってＰＨ１の変調信号のパルス幅は図４（ｊ）のように狭くなり、マルチパルス記録波形のＰＨ１のパルス幅も図４（ｐ）のように狭くなる方向に変化する。つまり、この場合は、媒体の熱拡散が速く、熱蓄積が小さいので、ＰＨ１のパルス幅を狭くすることによってピット先端部における媒体温度の上昇を抑制し、ピット先端の形状を適正な形状に記録できるように制御するものである。
【００３８】
次に、チャネルクロックＣＫ２は図４（ｃ）のようにデューティーが小さくなるように変化し、これに伴なって図４（ｐ）のようにマルチパルス記録波形のＰＨ２のパルス幅も広がっている。この場合は、媒体の熱拡散が速く、熱蓄積が小さいので、ＰＨ２のパルス幅を広げることによって媒体の温度の低下を抑制し、ピット後端部においてピットの形状を適正な形状に記録するように制御するものである。この結果、記録マークは図４（ｑ）に示すように適正な形状に記録される。なお、媒体の特性によっては、ＰＨ１，ＰＨ２のパルス幅がどちらも広くなることもあり得るし、ＰＨ１，ＰＨ２のパルス幅がどちらも狭くなることもあり得ることは言うまでもない。このように本実施例においては、記録媒体の特性に応じて多値マルチパルス記録波形のパルス幅を可変することにより、記録マークを適正に記録できるように制御するというものである。
【００３９】
そこで、本実施例の具体的なマルチパルス記録波形のパルス幅の調整方法を図５及び図６に基づいて説明する。このパルス幅の調整は、例えばディスク１が装置にセットされたときに行うものとする。なお、本実施例では、記録媒体の特性として熱拡散が遅く、熱蓄積が大きい媒体を用いた場合の調整を例として説明する。まず、ディスク１がセットされると、コントローラ１７はマルチパルス化回路１５を制御してチャネルクロックＣＫ１，ＣＫ２のデューティーを予め決められた所定のデューティーに設定する。本実施例では、図５（ａ），（ｂ）に示すようにチャネルクロックＣＫ１，ＣＫ２のデューティーをそれぞれ５０％に設定している。次いで、コントローラ１７はディスク１の予め決められたライトテスト領域に光ヘッドをシークさせ、ライトテスト領域に到達すると、各部を制御して所定の信号を記録する。
【００４０】
記録する信号としては、それを再生したときの再生信号のアシンメトリーが明確に現われるパターン、つまり再生信号の振幅の中間値の差が明確に現われるパターンが望ましい。本実施例では、このことから（１−７）変調の最長ピットである８Ｔのマークとスペース、及び最短ピットである２Ｔのマークとスペースを記録している。図５（ｃ）はこのときの（１−７）変調された８Ｔマーク、８Ｔスペース及び２Ｔマーク、２Ｔスペースの記録信号、図５（ｄ）はこのときの半導体レーザ６のマルチパルス記録波形を示している。このマルチパルス記録波形の光ビームをディスク１に照射し、かつ同時に磁気ヘッド１９から一定方向の磁界を印加すると、図５（ｅ）のように８Ｔマーク、８Ｔスペース及び２Ｔスペース、２Ｔマークが記録される。図５（ｅ）においては、前述のように媒体が熱拡散が遅く、熱蓄積が大きいので、８Ｔマークにおいては先端が細く、それから後方にいくほど次第に広がるという涙滴形状となり、２Ｔマークにおいても理想マークよりも短くなっている。
【００４１】
コントローラ１７は記録が終了すると、各部を制御して光ヘッドを先に記録したライトテスト領域の先頭位置に移動させ、かつライトテスト領域に再生用光ビームを走査することで、記録された信号の再生を行う。このとき、差動アンプ１４から図５（ｆ）に示すように再生信号が光磁気信号として再生され、エンベロープ検波回路２１、２値化回路２２へ送られる。ここで、図５（ｆ）の再生信号についてみると、２Ｔマークの再生信号の振幅は２Ｔマークが小さいので、当然振幅は小さくなっている。従って、２Ｔマークの再生信号振幅の中間値は８Ｔマークの再生信号振幅の中間値よりも負側にオフセットしており、前述のようにアシンメトリーが大きい状態となっている。
【００４２】
エンベロープ検波回路２１では、再生信号の振幅の中間値が検出され、２値化回路２２ではその中間値をスライスレベルとして再生信号が２値化される。即ち８Ｔマーク、８Ｔスペースの再生信号は図５（ｆ）に示すような振幅中間値のスライスレベルで、２Ｔマーク、２Ｔスペースの再生信号も同様にその振幅の中間値のスライスレベルでそれぞれ２値化される。フェーズコンパレータ２３においては、コントローラ１７からの基準クロックを用いて８Ｔマークと８Ｔスペースの２値化信号のパルス幅の差を検出し、マークとスペースのパルス幅の差に応じた信号がマルチパルス化回路１５に出力される。また、同様に２Ｔマークと２Ｔスペースの２値化信号のパルス幅の差を検出し、その差に応じた信号がマルチパルス化回路１５に出力される。
【００４３】
マルチパルス化回路１５では、フェーズコンパレータ２３の出力信号に応じてチャネルクロックＣＫ１，ＣＫ２のデューティーが変化し、それに伴なってＰＨ１，ＰＨ２の変調信号のパルス幅も変化する。このとき、チャネルクロックＣＫ１，ＣＫ２のデューティーは、８Ｔマークと８Ｔスペースのパルス幅の差及び２Ｔマークと２Ｔスペースのパルス幅の差が各々減少する方向に変化し、これに応じてＰＨ１，ＰＨ２の各変調信号のパルス幅も各々先のマークとスペースのパルス幅の差がなくなる方向に変化する。
【００４４】
更に、具体的に説明すると、例えば８Ｔマークと８Ｔスペースの２値化信号のパルス幅の差がなくなる方向にチャネルクロックＣＫ２のデューティーを変化させてＰＨ２のパルス幅を変化させ、これに続いて２Ｔマークと２Ｔスペースの２値化信号のパルス幅の差がなくなる方向にチャネルクロックＣＫ１のデューティーを変化させてＰＨ１のパルス幅を変化させる。
【００４５】
これらの一連の動作が終了すると、コントローラ１７は先の説明と全く同様に各部を制御して再度ディスク１に８Ｔマーク、８Ｔスペース及び２Ｔマーク、２Ｔスペースを記録し、それを再生して８Ｔマークと８Ｔスペースの２値化信号のパルス幅の差、及び２Ｔマークと２Ｔスペースの２値化信号のパルス幅が差がなくなる方向にチャネルクロックＣＫ１，ＣＫ２のデューティーを変化させてＰＨ１，ＰＨ２のパルス幅を変化させる。このように記録、再生、チャネルクロックＣＫ１，ＣＫ２のデューティーの変化によるＰＨ１，ＰＨ２のパルス幅の調整といった一連の動作を繰り返し行い、８Ｔマークと８Ｔスペースの２値化信号のパルス幅の差、及び２Ｔマークと２Ｔスペースの２値化信号のパルス幅の差がなくなったところで、ＰＨ１，ＰＨ２のパルス幅の調整を終了する。
【００４６】
図６は以上のようなＰＨ１，ＰＨ２のパルス幅の調整が終了した後の各部の信号を示した図である。図６（ａ）〜（ｆ）はそれぞれ調整前の図５（ａ）〜（ｆ）に対応している。チャネルクロックＣＫ１は図６（ａ）のようにデューティーが小さく、チャネルクロックＣＫ２は図６（ｂ）のようにデューティーが大きくなっている。また、このチャネルクロックＣＫ１，ＣＫ２の変化に伴なって図６（ｄ）のようにＰＨ１のパルス幅は広く、ＰＨ２のパルス幅は狭くなるように変化している。
【００４７】
つまり、本実施例では、前述のように熱拡散が遅く、熱蓄積が大きい媒体であるので、チャネルクロックＣＫ１のデューティーを小さくして、２Ｔマークを形成あるいは８Ｔマークの先端を形成するＰＨ１のパルス幅を広くし、その分ＰＨ１の照射時間が長くなるように調整されている。また、チャネルクロックＣＫ２のデューティーを大きくして、２Ｔマーク以降のマークを形成するＰＨ２のパルス幅を小さくし、その分ＰＨ２の照射時間が短くなるように調整されている。このようにＰＨ１、ＰＨ２のパルス幅を調整することにより、図３で説明したようにマーク先端における媒体の温度上昇が早められ、かつそれ以降のマーク後端までは媒体の温度上昇が抑制されるので、図６（ｅ）のように８Ｔマークは涙滴形状になることなく、適正な形状に記録されていることがわかる。また、２Ｔマークにおいても形状が小さくなることなく、適正な形状に記録されていることがわかる。従って、図６（ｅ）の記録マークを再生すると、図６（ｆ）に示すように８Ｔマーク、８Ｔスペースの再生信号と２Ｔマーク、２Ｔスペースの再生信号の振幅中間値は一致するようになり、アシンメトリーのない再生信号を得ることができる。
【００４８】
本実施例では、マルチパルス記録波形のＰＨ１、ＰＨ２のパルス幅を記録媒体の特性に応じて調整するようにしたので、媒体上の記録マークの形成過程において、マークの先端から後端までその時々の半導体レーザの光ビームの照射時間幅を最適に調整して、記録マークの形状が適正な形状となるように制御することができる。従って、記録マークの形状が涙滴形状になったり、あるいは適正の形状よりも小さくなったりすることがなく、記録媒体の特性によらず適正な形状に記録することができる。よって、エラー率の少ない再生信号を得ることが可能となり、特にピットのエッジに情報を持たせるピットエッジ記録に好適に用いることができる。しかも、マルチパルス記録波形のパルス幅を変化させて半導体レーザの光ビームの照射時間幅を調整するので、従来のようなＬＤドライバーの電流制御によってレーザのパワー値を調整する方法に比べて、制御負荷を軽減でき、簡単な構成で調整することができる。
【００４９】
次に、図１においては、前述のように温度センサ１６がディスク１の下面に近接して配置されているが、以下温度センサ１６の検出温度によるマルチパルス記録波形のパルス幅の調整について説明する。温度センサ１６は装置の環境温度、特にディスク１のレーザ照射部近傍の雰囲気温度を検出するものであり、コントローラ１７では常時温度センサ１６の検出温度を監視している。ここで、本実施例では、例えば温度が５℃変化するごとに、マルチパルス記録波形のＰＨ１とＰＨ２のパルス幅を調整し直すようになっている。例えば、前回の調整時の温度が２５℃であり、これが３０℃に上昇すると、コントローラ１７は先の説明と全く同様に各部を制御してＰＨ１とＰＨ２のパルス幅の調整を行う。このように温度に応じてＰＨ１，ＰＨ２のパルス幅を調整することにより、温度変化によらず安定した記録を行うことができる。
【００５０】
なお、ＰＨ１，ＰＨ２のパルス幅を調整する場合、通常の情報記録再生装置では、以上の説明のように記録、再生、再生信号のマークとスペースに基づいたパルス幅の調整といった動作を繰り返し行う必要があるが、２ビームなどを用いたダイレクトベリファイ機能を有する情報記録再生装置では、記録を行うごとに記録とほぼ同時に再生し、２値化信号のマークとスペースのパルス幅の差がなくなるようにＰＨ１，ＰＨ２のパルス幅にフィードバックする方法を採ることができる。従って、このような装置では、記録という動作中に１回の調整を完了できるので、パルス幅の調整を短時間で行うことが可能である。また、半導体レーザのパワー値をＰｂ，ＰＬ，ＰＨ１，ＰＨ２の４値としているが、この値を３値、つまりＰＨ１とＰＨ２の値を同じにしてマルチパルス記録を行う場合も、全く同様の方法でマルチパルス記録波形のパルス幅を調整すればよい。更に、以上のようなマルチパルス記録波形のパルス幅の調整はディスクの交換時のみならず、記録前に行ってもよいし、ディスクの挿入後一定時間ごとに定期的に行ってもよいことは言うまでもない。
【００５１】
次に、ＣＡＶ方式やゾーンＣＡＶ方式のようにディスク１が角速度一定で回転する場合の実施例について説明する。本実施例では、ディスク１の複数の半径位置で前述のような方法でマルチパルス記録波形のＰＨ１，ＰＨ２のパルス幅を調整してそのときのパルス幅の値をメモリに記憶しておき、ディスク１にデータを記録する場合は、その値を用いてディスク１の半径位置に応じてＰＨ１，ＰＨ２のパルス幅を調整するものである。こうすることにより、ディスク１が角速度一定で回転し、ディスク１の記録位置が内周から外周へ変化した場合、ＰＨ１，ＰＨ２のパワー値を変えることなく、ディスク１の全域に渡って同じ記録パワーで安定した記録を行うというものである。
【００５２】
具体的に説明すると、まず、ディスク１の中周域でチャネルクロックＣＫ１，ＣＫ２がそれぞれ５０％近辺で、理想的な記録マークを記録できるように、ＰＨ１，ＰＨ２などの記録パワー値を設定しておく。つまり、これは、ディスク１の内周では線速度が遅くなり、記録マークを形成するエネルギーが少なくて済むためにマルチパルス記録波形の記録パルス幅が狭くなる方向に、外周では線速が速やくなり、記録マークを形成するエネルギーが多く必要なためにパルス幅を広くする方向にチャネルクロックのデューティーを変化させる必要があるので、ディスク１の中周域でチャネルクロックのデューティーが５０％程度であれば、ＰＨ１，ＰＨ２のパルス幅を調整する場合のダイナミックレンジを広くとれるという理由に基づいている。このときのＰＨ１，ＰＨ２のパルス幅をメモリに記憶させておく。
【００５３】
次いで、ディスク１の内周及び外周の所定位置で先の実施例と全く同じ方法で８Ｔマーク、８Ｔスペースの２値化信号のパルス幅の差、及び２Ｔマーク、２Ｔスペースの２値化信号のパルス幅の差がなくなるように、マルチパルス記録波形のＰＨ１，ＰＨ２のパルス幅を調整し、得られたパルス幅の値をメモリに記憶させておく。このようにディスク１の内周、中周、外周におけるＰＨ１，ＰＨ２のパルス幅をメモリに格納し、実際にディスク１にデータを記録する場合は、ディスク１の記録半径位置に応じてＰＨ１，ＰＨ２のパルス幅の値をメモリに記憶された内周、中周、外周でのパルス幅を補間して求め、ＰＨ１，ＰＨ２のパルス幅を各々得られた値に調整する。
【００５４】
図７はこのようにパルス幅を調整してディスク１の内周で記録を行った場合の各部の信号を示した図である。図７（ａ）はチャネルクロックＣＫ１、図７（ｂ）はチャネルクロックＣＫ２、図７（ｃ）は（１−７）変調された記録信号である。また、図７（ｄ）は図２のマルチパルス化回路１５内のフリップフロップ回路１００の出力信号、図７（ｅ）はフリップフロップ回路１０１の出力信号、図７（ｆ）はフリップフロップ回路１０４の出力信号、図７（ｇ）はフリップフロップ回路１０５の出力信号、図７（ｈ）はアンド回路１０７の出力信号を示している。
【００５５】
ディスク１の内周においては、チャネルクロックＣＫ１，ＣＫ２のデューティーは図７（ａ），（ｂ）のように変化し、これに伴なってＰＨ１，ＰＨ２の変調信号も図７（ｉ），（ｋ）のように変化して、マルチパルス記録波形のＰＨ１，ＰＨ２のパルス幅は図７（ｏ）のようにチャネルクロックＣＫ１，ＣＫ２のデューティーが５０％のときよりも狭くなっている。つまり、ディスク１の内周では線速度が遅く、記録マークを形成するエネルギーは少なくてよいので、図７（ｏ）のようにＰＨ１，ＰＨ２のパルス幅はディスク１の中周でのパルス幅よりも狭くなっている。このようにＰＨ１，ＰＨ２はディスク１の記録半径位置に応じて最適なパルス幅に調整され、ディスク１の内周においても図７（ｐ）のようにマークは適正な形状に記録されている。なお、図７（ｊ）、図７（ｌ）、図７（ｎ）はそれぞれチャネルクロックＣＫ１，ＣＫ２がデューティー５０％のときのＰＨ１，ＰＨ２，ＰＬの変調信号を示している。
【００５６】
図８は前述のようにＰＨ１，ＰＨ２のパルス幅を調整してディスク１の外周で記録を行った場合の各部の信号を示した図である。図８（ａ）〜（ｐ）は図７（ａ）〜（ｐ）にそれぞれ対応している。ディスク１の外周においては、チャネルクロックＣＫ１，ＣＫ２のデューティーは図８（ａ），（ｂ）のように内周時とは反対方向に変化し、これに伴なってＰＨ１，ＰＨ２のパルス幅は図８（ｏ）のようにチャネルクロックＣＫ１，ＣＫ２のデューティーが５０％のときよりも広くなっている。つまり、ディスク１の外周では、線速が速やく、マークを形成するエネルギーを多く必要とするので、ＰＨ１，ＰＨ２のパルス幅はディスク１の中周でのパルス幅よりも広くなっている。この場合も、ディスク１の記録半径位置に応じてＰＨ１，ＰＨ２のパルス幅を最適値に調整しているので、図８（ｐ）のようにマークを適正な形状に記録することができる。
【００５７】
なお、以上の実施例では、ディスク１の内周、中周、外周でＰＨ１，ＰＨ２のパルス幅を調整すると説明したが、それ以上に細い間隔の所定半径位置ごとにパルス幅を調整して各位置でのパルス幅をメモリに格納し、それをもとにディスクの各半径位置でパルス幅を補間するのが望ましい。また、この実施例においても先の実施例と同様にコントローラ１７は温度センサ１６の検出温度を監視しており、温度が所定温度変化すると、チャネルクロックＣＫ１，ＣＫ２のデューティーを変化させてＰＨ１，ＰＨ２のパルス幅を調整し直すものとする。
【００５８】
更に、本実施例においても、先の実施例と同様に、ディスク１の所定の記録半径位置でのパルス幅の調整はディスク１の挿入時、記録前、あるいは一定時間ごとに行うものとする。また、本実施例においても、先の実施例と同様に３値の記録パワーの場合にも適用できることは言うまでもない。更に、光変調オーバーライト方式において、本実施例のように記録パワーＰＬに低温プロセスを生じさせるという機能を持たせる場合、パワーを最適化するためには、ディスク１の線速に応じてＰＬの値を制御するのが望ましい。
【００５９】
【発明の効果】
以上説明したように本発明は、次の効果がある。
（１）クロック信号のデューティーを変化させることでマルチパルス記録波形のパルス幅を変化させることにより、光源の光出力の制御負荷を従来に比べて大幅に軽減でき、簡単な回路構成で最適調整することができる。
（２）記録媒体の特性に応じてマルチパルス記録波形のパルス幅を調整することにより、記録媒体の特性に拘わらず、常に記録マークを適正な形状に記録でき、信頼性の高い情報の記録を実現することができる。
（３）記録媒体の線速度に応じてマルチパルス記録波形のパルス幅を調整することにより、記録媒体の全域に渡って記録パワーを一定に制御でき、記録位置によらず、記録マークを適正な形状に記録することができる。
（４）環境温度に応じてマルチパルス記録波形のパルス幅を調整することにより温度変化に関係なく、常に適正なマークを記録することができる。
【図面の簡単な説明】
【図１】本発明の光情報記録装置の一実施例を示した構成図である。
【図２】図１の実施例のマルチパルス化回路の具体例を示した回路図である。
【図３】図１及び図２の実施例の動作を熱拡散が遅く、熱蓄積が大きい媒体を用いた場合を例として説明するためのタイムチャートである。
【図４】図１及び図２の実施例の動作を熱拡散が速やく、熱蓄積が小さい媒体を用いた場合を例として説明するためのタイムチャートである。
【図５】本発明によるマルチパルス記録波形のパルス幅を調整する方法を説明するための図である。
【図６】マルチパルス記録波形のパルス幅の調整後の各部の信号及び記録マークと再生信号を示した図である。
【図７】本発明の他の実施例において、ディスクが角速度一定で回転する場合に、記録半径位置に応じてパルス幅を調整したときの内周位置での各部の信号を示した図である。
【図８】本発明の他の実施例において、ディスクが角速度一定で回転する場合に、記録半径位置に応じてパルス幅を調整したときの外周位置での各部の信号を示した図である。
【図９】従来例の光磁気記録再生装置を示した構成図である。
【図１０】図９のマルチパルス化回路を詳細に示した回路図である。
【図１１】図９、図１０の各部の信号を示したタイムチャートである。
【符号の説明】
１    光磁気ディスク
３    記録層
５    アクチュエータ
６    半導体レーザ
７    対物レンズ
１３    光センサ
１４    差動アンプ
１５    マルチパルス化回路
１６    温度センサ
１７    コントローラ
１８    ＬＤドライバー
１９    磁気ヘッド
２０    磁気ヘッドドライバー
２１    エンベロープ検波回路
２２    ２値化回路
２３    フェーズコンパレータ
１００，１０１，１０４，１０５    フリップフロップ回路
１０２，１０７，１０８    アンド回路
１０３，１０９    インバータ回路
１０６    オア回路
【図１】
0003659524.tif 000002
【図２】
0003659524.tif 000003
【図３】
0003659524.tif 000004
【図４】
0003659524.tif 000005
【図５】
0003659524.tif 000006
【図６】
0003659524.tif 000007
【図７】
0003659524.tif 000008
【図８】
0003659524.tif 000009
【図９】
0003659524.tif 000010
【図１０】
0003659524.tif 000011
【図１１】
0003659524.tif 000012